(57)【特許請求の範囲】
【請求項１】
金属板からなり、下方に開放部を設けた複数の側壁を有する箱形の枠体と、この枠体内に配設され、少なくともＯＳＣ回路、及びＲＦ回路が形成された回路基板と、前記枠体内の前記ＯＳＣ回路と前記ＲＦ回路との間を区画する仕切り壁と、前記ＲＦ回路を配置した位置にある第１の前記側壁に取り付けられた入力用のネジ付同軸コネクタと、前記開放部を覆うように前記枠体に取り付けられたカバーと、このカバーの前記ネジ付同軸コネクタ、又は前記ＯＳＣ回路の近傍において、マザー基板に取り付けるために下方に突出して設けられた取付片と、前記マザー基板に取り付けるための前記側壁から下方に突出して設けられた取付脚とを備え、前記第１の側壁と、この第１の側壁と対向する第２の側壁の側に前記取付片が設けられると共に、前記第１，第２の側壁に前記取付脚を設けたことを特徴とするチューナ。
【請求項２】
前記カバーに設けた取付片が前記ネジ付同軸コネクタと前記ＯＳＣ回路の近傍に設けられたことを特徴とする請求項１記載のチューナ。
【請求項３】
前記側壁に設けられた前記取付脚が複数形成されたことを特徴とする請求項１、又は２記載のチューナ。
【発明の詳細な説明】
【０００１】
【発明の属する技術分野】
本発明はデジタルチューナ等に使用して好適なチューナに関する。
【０００２】
【従来の技術】
従来のチューナの構成を図５に基づいて説明すると、金属板からなり、上下方向が開放したロ型の枠体５１には、上方の開放を覆うように上部のカバー５２が取り付けられると共に、下方の開放を覆うように下部のカバー５３が取り付けられている。
また、下部のカバー５３には、切り曲げされて、下方に突出する複数の取付片５３ａが設けられている。
【０００３】
ここでは図示しないが、この枠体５１内には、ＯＳＣ回路やＲＦ回路等を形成した回路基板が収納、保持されている。
ネジ付同軸コネクタ５４は、ネジ部５４ａと、鍔部５４ｂ等を有し、このネジ付同軸コネクタ５４は、枠体５１にカシメ等により取り付けられると共に、ＲＦ回路に接続されて、入力用となている。
【０００４】
そして、このように構成されたチューナは、電子機器（図示せず）内に収納されて、カバー５３の取付片５３ａがマザー基板５５の接地用パターン（図示せず）に半田付けされて取り付けられると共に、ネジ付同軸コネクタ５４のネジ部５４ａがシャーシ５６の孔５６ａに挿通され、ネジ部５４ａにナット５７をねじ込みして取り付けられるようになっている。
【０００５】
【発明が解決しようとする課題】
従来のチューナにおいては、カバー５３の取付片５３ａのみで、マザー基板５５に取り付けられているため、ネジ部５４ａにナット５７をねじ込みした時、枠体５１が回動して、カバー５３が枠体５１から外れるという問題がある。
【０００６】
そこで、本発明は、枠体からカバーの外れを無くすると共に、ノイズの少ないチューナを提供することを目的とする。
【０００７】
【課題を解決するための手段】
上記課題を解決するための第１の解決手段として、金属板からなり、下方に開放部を設けた複数の側壁を有する箱形の枠体と、この枠体内に配設され、少なくともＯＳＣ回路、及びＲＦ回路が形成された回路基板と、前記枠体内の前記ＯＳＣ回路と前記ＲＦ回路との間を区画する仕切り壁と、前記ＲＦ回路を配置した位置にある第１の前記側壁に取り付けられた入力用のネジ付同軸コネクタと、前記開放部を覆うように前記枠体に取り付けられたカバーと、このカバーの前記ネジ付同軸コネクタ、又は前記ＯＳＣ回路の近傍において、マザー基板に取り付けるために下方に突出して設けられた取付片と、前記マザー基板に取り付けるための前記側壁から下方に突出して設けられた取付脚とを備え、前記第１の側壁と、この第１の側壁と対向する第２の側壁の側に前記取付片が設けられると共に、前記第１，第２の側壁に前記取付脚を設けた構成とした。
【０００８】
また、第２の解決手段として、前記カバーに設けた取付片が前記ネジ付同軸コネクタと前記ＯＳＣ回路の近傍に設けられた構成とした。
また、第３の解決手段として、前記側壁に設けられた前記取付脚が複数形成された構成とした。
【０００９】
【発明の実施の形態】
本発明のチューナの図面を説明すると、図１は本発明のチューナの正面図、図２は本発明のチューナに係り、上部のカバーを取り外した状態を示す平面図、図３は本発明のチューナの要部断面図、図４は本発明のチューナの下面図である。
【００１０】
次に、本発明のチューナの構成を図１〜図４に基づいて説明すると、金属板からなるロ型の枠体１は、互いに対向して設けられた矩形状の第１，第２の側壁１ａ、１ｂと、この第１，第２の側壁１ａ、１ｂとの間に位置し、互いに対向して設けられた第３，第４の側壁１ｃ、１ｄと、上下方向に開放した開放部１ｅ、１ｆと、第１と第２の側壁１ａ、２ｂから下方に突出する取付脚１ｇ、１ｈとを有する。
【００１１】
金属板からなる仕切り壁２は、枠体１内に取り付けられ、枠体１内が複数に区画されて、区画室３ａ、３ｂ、３ｃが形成されている。
回路基板４は配線パターン（図示せず）を有し、この回路基板４には、ここでは図示しないが、ＯＳＣ回路、ＩＦ回路やＲＦ回路等が形成されている。
そして、この回路基板４は、枠体１内に配置されて、枠体１に適宜手段により保持されている。
【００１２】
この時、ＯＳＣ回路は区画室３ａ、ＩＦ回路は区画室３ｂ、及びＲＦ回路は区画室３ｃに位置して、仕切り壁２によって、相互間が互いに電気的にシールドされると共に、各回路においては、配線パターンの一部である接地用パターン（図示せず）が枠体１に半田付けされて、接続された状態となっている。
【００１３】
薄い金属板からなる上部のカバー５は、矩形状の平板部５ａと、この平板部５ａの四方から下方に折り曲げられた弾性片５ｂとを有し、このカバー５は、枠体１の上方の開放部１ｅを平板部５ａで覆うように、弾性片５ｂを枠体１に挟持させて取り付けられている。
【００１４】
薄い金属板からなる下部のカバー６は、矩形状の平板部６ａと、この平板部６ａの四方から上方に折り曲げられた弾性片６ｂと、互いに対向する位置で、下方に突出する一対の取付片６ｃ、６ｄとを有する。
そして、このカバー６は、枠体１の下方の開放部１ｆを平板部６ａで覆うように、弾性片６ｂを枠体１に挟持させて取り付けられている。
【００１５】
このカバー６が枠体１に取り付けられた際、図４に示すように、一方の取付片６ｃは、第１の側壁１ａ側で、ＲＦ回路の近傍に位置し、また、もう一方の取付片６ｄは、第２の側壁１ｂ側で、ＯＳＣ回路の近傍に位置すると共に、カバー６は、弾性片６ｂによって、枠体１に弾設した状態となっている。
更に、枠体１に設けられた取付脚１ｇ、１ｈは、カバー６の平板部６ａを越えて、下方に突出した状態となっている。
【００１６】
ネジ付同軸コネクタ７は、金属材からなるネジ部８ａと、このネジ部８ａに繋がって設けられた鍔部８ｂと、この鍔部８ｂに繋がって設けられた筒部８ｃと、ネジ部８ａの中心部に設けられた孔８ｄに設けられた絶縁体９と、この絶縁体９を介して孔８ｄないに取り付けられた中心導体１０とで構成されている。
そして、このネジ付同軸コネクタ７は、筒部８ｃが枠体１の第１の側壁１ａにカシメ付けられて取り付けられると共に、中心導体１０がＲＦ回路に接続されて、入力用となている。
また、このネジ付同軸コネクタ７の近傍には、カバー６の取付片６ｃが位置した状態となっている。
【００１７】
そして、このように構成された本発明のチューナは、電子機器（図示せず）内に収納されて、下部のカバー６の取付片６ｃ、６ｄと枠体１の取付脚１ｇ、１ｈがマザー基板１１の接地用パターン（図示せず）に半田付けされて取り付けられると共に、ネジ付同軸コネクタ７のネジ部８ａがシャーシ１２の孔１２ａに挿通され、ネジ部８ａにナット１３をねじ込みして、チューナが取り付けられるようになっている。
また、このナット１３のねじ込み時、枠体１が回動しようとするが、枠体１の取付脚１ｇ、１ｈがマザー基板１１に固定されているため、枠体１が回動せず、このため、カバー６の外れが無くなる。
【００１８】
更に、カバー６は、薄い金属板で形成されると共に、弾性片６ｂが枠体１に弾接した状態となっているため、ＲＦ回路が位置すると共に、ネジ付同軸コネクタ７が取り付けられた第１の側壁１ａと、ＯＳＣ回路が位置する第２の側壁１ｂとの間の平板部６ａは、抵抗成分を持ち、接地が不十分で浮いた状態となって、ＯＳＣ回路からの発振信号が平板部６ａに飛び移り易く、それがネジ付同軸コネクタ７の中心導体１０に飛び込み、妨害となってノイズを生じるが、しかし、ＯＳＣ回路、及びＲＦ回路の同軸コネクタ７の近傍において、取付片６ｃ、６ｄによってカバー６が直接、マザー基板１１の接地用パターンに接続されているため、カバー６の接地が確実となって、ネジ付同軸コネクタ７への発振信号の飛び込みが無くなって、ノイズが少なくなる。
【００１９】
なお、上記実施例では、カバー６の取付片６ｃ、６ｄがネジ付同軸コネクタ７とＯＳＣ回路の近傍に設けたもので説明したが、ネジ付同軸コネクタ７、或いはＯＳＣ回路の何れか一方の近傍に取付片を設けても良い。
また、枠体１に設けた取付脚は、第１〜第４の側壁の何れか一つ、或いは、第１〜第４の側壁の二つ以上において、複数設けても良い。
【００２０】
【発明の効果】
本発明のチューナは、枠体１の取付脚１ｇがマザー基板１１に取り付けられるため、ナット１３のねじ込み時、枠体１が回動せず、このため、カバー６の外れが無くなる。
また、ネジ付同軸コネクタ７、又はＯＳＣ回路の近傍において、カバー６には、マザー基板１１に取り付けるための下方に突出した取付片を設けたため、カバー６の接地が確実となって、ネジ付同軸コネクタ７への発振信号の飛び込みが無くなって、ノイズが少なくなる。
【００２１】
また、カバー６に設けた取付片６ｃ、６ｄがネジ付同軸コネクタ７とＯＳＣ回路の近傍に設けられたため、カバー６の接地が一層、確実となって、ネジ付同軸コネクタ７への発振信号の飛び込みが無くなって、ノイズが一層、少なくなる。
【００２２】
また、側壁に設けられた取付脚１ｇ、１ｈが複数形成されたため、枠体１のマザー基板１への支持が強固となって、ナット１３のねじ込み時、枠体１が回動せず、このため、カバー６の外れが無くなる。
【００２３】
また、第１の側壁１ａと、この第１の側壁１ａと対向する第２の側壁１ｂの側に取付片６ｃ、６ｄが設けられると共に、第１，第２の側壁１ａ、１ｂに取付脚１ｇ１ｈを設けたため、枠体１の取付が強固であると共に、カバー６の接地の確実なものが得られる。
【図面の簡単な説明】
【図１】本発明のチューナの正面図。
【図２】本発明のチューナに係り、上部のカバーを取り外した状態を示す平面図。
【図３】本発明のチューナの要部断面図。
【図４】本発明のチューナの下面図。
【図５】従来のチューナの正面図。
【符号の説明】
１  枠体
１ａ  第１の側壁
１ｂ  第２の側壁
１ｃ  第３の側壁
１ｄ  第４の側壁
１ｅ  開放部
１ｆ  開放部
１ｇ  取付脚
１ｈ  取付脚
２  仕切り壁
３ａ、３ｂ、３ｃ  区画室
４  回路基板
５  カバー
５ａ  平板部
５ｂ  弾性片
６  カバー
６ａ  平板部
６ｂ  弾性片
６ｃ、６ｄ  取付片
７  ネジ付同軸コネクタ
８ａ  ネジ部
８ｂ  鍔部
８ｃ  筒部
８ｄ  孔
９  絶縁体
１０  中心導体
１１  マザー基板
１２  シャーシ
１２ａ  孔
１３  ナット
【図１】
0003926576.tif 000002
【図２】
0003926576.tif 000003
【図３】
0003926576.tif 000004
【図４】
0003926576.tif 000005
【図５】
0003926576.tif 000006